(57)【要約】【課題】送風式排気器内風路の通過流の速度減少を補うために、接続部に対して、外部からの送風を行おうとしている。【解決手段】角形パイプ１．の下面に丸形開口１７．と、上面に小形開口１８．とを同心位置で点在して開口し、該、丸形開口１７．に下面外側から受風口を差し込み、送風口は下向きの外部突出パイプ７．の差し支えの鍔３．を下面に接着し、角形パイプ１．の上面前後に沿った縁面と断面コの字形の折れ板２．の接合面６．とを接着して、角形パイプ１．と折れ板２．とで２空間形成し、上下流双方の端面に、１空間ソケット４．を接続し、下流ソケット４．に蓋３．を嵌め込み封鎖し、上流端面のソケット４．はパイプ内送風口となる２空間形成の送風パイプ器。【選択図】図１
2017075768.tif 000002
【特許請求の範囲】
【請求項１】
角形パイプ１．下面に丸形開口１７．と上面に小形開口１８．とを同心位置で点在して開口し、該、丸形開口１７．に下面外側から受風口を差し込み、送風口は下向きの外部突出パイプ７．の差し支えの鍔５．は下面に接着し、角形パイプ１．の長手方向と直交である前後に沿った縁面に、断面コの字形の折れ板２．の接合面６．を接着して２空間形成し、上下流端面の双方に１空間ソケット４．を接続し、下流側はソケット４．に蓋３．を嵌め込んで封鎖し、上流側ソケット４．はパイプ内への送風口の２空間形成が特徴の送風パイプ器。
【請求項２】
角形パイプ１．に折れ板２．接着をした２空間形成パイプの下流端面に蓋３．を嵌め込んで封鎖し、上流端面は１空間ソケット４．を接続した請求項１記載の送風パイプ器。
【発明の詳細な説明】
【技術分野】
【０００１】  本発明は、送風式排気器における、排気を必要とする部位への送風に関する。
【背景技術】
【０００２】  送風式排気器の風路内に送風し、この通過流を利用して、排気対象空間内の排気を行うものがあった。
【先行技術文献】
【特許文献】
【０００３】
【特許文献１】  特開２０１２−２１６６２
【発明の概要】
【発明が解決しようとする課題】
【０００４】  上記、送風式排気器内風路の上下流間の接続部から下流側風路に向けて、外設置の平行送風パイプ器から送風を行おうとしている【０００５】  そして、送風式排気器の横幅拡大対応には、風路内通過流を風下側に長く保たせる必要条件として、速度に風量を伴う事が求められている。
【課題を解決するための手段】
【０００６】  本発明の送風式排気器に使用する外設置の平行送風パイプ器では、送風式排気器の接続部に対して外側で平行する中空の四辺形角形パイプ１．と後述の折れ板２．とで上下２本となる空間形成の送風パイプを使用する。【０００７】  角形パイプ１．２．の上下流両端面に１空間ソケット４．を接続し、下流端面は、該ソケットに蓋３．を嵌め込み封鎖する。上流端面に接続のソケット４．はパイプ内への送風口である。【０００８】  送風パイプは四辺形角形で、下面に丸形開口１７．を点在させ、この下面と対面の上面に、丸形開口１７．と同心で半径短い小形開口１８．を、各点在位置に設ける。【０００９】  角形パイプ１．下面に点在の丸形開口１７．に差し込む突出パイプ７．は、一定深さで差し支える鍔５．を備えている。そして、此の突出パイプ７．は送風口を下側に向け、受風口から角形パイプ１．下面の各開口１７．に差し込んで鍔５．を接着する。【００１０】  そして、角形ハイプ１．の長手方向と直交する上面の前後縁面間と同じ幅の断面コの字形で、その開放面縁に接合面６．を備えた折れ２．を上面に設けて接着し、２本目のパイプを形成する。【００１１】  此の角形パイプ１．に差し込んだ突出パイプ７．の鍔５．に、角形パイプ１．空間内まで到る貫通小穴２５．を設け、此処に（特殊ポップ式）リベットを使用する。
【発明の効果】
【００１２】  ２空間形成の送風パイプの上下流端面双方に接続のソケット４．に於いて、下流側ソケット４．に嵌め込んだ蓋３．による封鎖は、上流端面に接続のソケット４．からの送風により、下流端面を起点とする風圧上昇が始まる。又、パイプ内突起物による風圧への影響は作用に於いての障害は微小である。【００１３】  外部突出パイプ７．からの送風は中空バイプを介して送風式排気器の接続部に送風する事を可能にしている。【００１４】  ２本の上流端面に接続のソケット４．は、その１空間内に於ける風圧差を無くする分配がなされ、上流端面に接続のソケット４．内通過風量増加により推移して、該、ソケット内にも風圧上昇が始まるが、下流端面に接続のソケット４．により、上記、風の分配を２箇所にしている。そして又、各点在の開口間に均一量の送風がなされる。【００１５】  ２空間形成パイプに設けた丸形開口と同心円で半径短い小形開口との内部断面積の違いは、同圧力内で風量と風速の各優先集合の風を、突出バイプ７．の受風口に向けて送風される。【００１６】  角形パイプ１．下面接着の突出パイプ７．の鍔５．に設けた貫通小穴２５．への（特殊ポップ式）リベット使用は、振動、重力の耐性を強化している。
【図面の簡単な説明】
【００１７】
【図１】  送風パイプ器の一部破断の斜視図
【図２】  送風パイプ器が２空間形成を示す横断面図
【図３】  ２空間形成パイプに突出パイプを示した断面図
【図４】  ２空間形成パイプの同心開口と突出パイプを示した横断面図
【図５】  送風パイプ器に突出パイプの、低部から見た外観図
【図６】  貫通小穴に（特殊ポップ式）リベットの２空間形成パイプの横断面図
【図７】  下流端面に蓋３．と上流端面にソケット４．の横断面図
【発明を実施するための形態】
【００１８】  本発明の実施の形態を図１−７図に基づいて説明する。
【００１９】  図においては、角形パイプ１．折れ板２．蓋３．ソケット４．突出パイプ鍔５．折れ板接合面６．外部突出パイプ７．小形開口１８．
【００２０】  図１−２図について説明する。図１は２空間形成パイプの一部破断の斜視図。図２は図１の横断面図てある。角形パイプ１．の下面に点在させて丸形開口１７．を設け、該開口と同心位置で半径減短い小形開口１８．を上面に設ける。下面の各丸形開口１７．に、差し支えの鍔５．を備えた突出パイプ７．の受風口を下から差し込んで鍔５．を接着する。
【００２１】  そして、角形パイプ１．上面に沿った縁面に、折れ板２．の接合面６．を重ねて接着し、角形バイプと折れ板とで２空間の送風パイプが形成される。下流端面の蓋３．は２空間形成のパイプを封鎖し、上流端面は１空間形成のソケット４．を接続している。
【００２２】  図３について説明する。図３は下側の角形パイプ１．と折れ板２．とによる２空間形形成パイプの断面図。
【００２３】  図４は図３の横断面図で、角形パイプ１．下面に外部突出パイプ７．を差し支える鍔５．を接着して、該、鍔の左右に貫通小穴２６．を設けている。角形パイプ１．の上面に小形開口１８．と、上側に接続の折れ板２．の接合面６．が左右間にわたり示されている。
【００２４】  図５は、角形パイプ１．を低部から見た外観図で、突出パイプ７．差し込んだ後に支えて接着５．の鍔５．の左右に貫通小穴２５．を設けている。
【００２５】  図６は、図４の貫通小穴に（特殊ポップ式）リベット使用を示している。
【００２６】  図７は２空間形成パイプの下流端面に蓋３．の嵌め込みと、上流端面に１空間ソケット４．を接続の送風パイプ器。
【産業上の利用可能性】
【００２７】  送風式排気器内風路に対して排気対象空間外からの機器送風、又は親パイプからの送風により排気を行う事と、此の機器送風の一部量を排気による減圧の緩和。並びに換気に利用する事。
【符号の説明】
【００２８】１    角形パイプ
２    折れ板
３    封鎖蓋
４    ソケット
５    突出パイプ鍔
６    折れ板接合面
７    外部突出パイプ
１８  小形開口
【図１】
2017075768.tif 000003
【図２】
2017075768.tif 000004
【図３】
2017075768.tif 000005
【図４】
2017075768.tif 000006
【図５】
2017075768.tif 000007
【図６】
2017075768.tif 000008
【図７】
2017075768.tif 000009
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
角形パイプ１．下面に丸形開口１７．と上面に小形開口１８．とを同心位置で点在して開口し、該、丸形開口の外側に設ける突出パイプ７．は、受風口を差し込み、下側は送風口で、差し支える鍔５．は接着と耐性強化を行い、角形パイプ１．上面縁に沿う断面コの字形の折れ板２．の接合面６．を接着して２空間形成し上下流側端面の双方にソケット４．を接続し、下流側はソケット４．に蓋３．をはめ込んで封鎖し、上流側ソケット４．はパイプ内への送風口の２空間形成が特徴の送風パイプ器。
【請求項２】
角形パイプ１．に折れ板２．を接着した２空間形成パイプの下流端面に蓋３．を嵌め込んで封鎖し、上流端面はソケット４．を接続した請求項１記載の送風パイフ器。
【手続補正書】
【提出日】平成28年10月3日(2016.10.3)
【手続補正１】
【補正対象書類名】明細書
【補正対象項目名】全文
【補正方法】変更
【補正の内容】
【発明の詳細な説明】
【技術分野】
【０００１】  本発明は、送風式排気器における、排気を必要とする部位への送風に関する。
【背景技術】
【０００２】  送風式排気器の風路内に送風し、この通過流を利用して、排気対象空間内の排気を行うものがあった。
【先行技術文献】
【特許文献】
【０００３】
【特許文献１】  特開２０１２−２１６６２
【発明の概要】
【発明が解決しようとする課題】
【０００４】  上記、送風式排気器内風略の上下流間の接続部から下流側風路に向けて、外設置で平行の送風パイプ器から送風を行おうとしている。【０００５】  そして、送風式排気器の横幅拡大対応には速度に量を伴う風を必要とし、各羽根板に均一送風する事が求められている。
【課題を解決するための手段】
【０００６】    本発明の送風式排気器に使用する外設置平行の送風パイプ器では、送風式排気器の接続部に対して外側で平行する中空の四辺形角形パイプ１．と後述の折れ板２．とで上下２本となる空間形成の送風パイプを使用する。【０００７】上記、２空間形成パイプの上下流両端面に１空間ソケット４．を接続し、下流端面は、該ソケットに蓋３．を嵌め込み封鎖する。上流端面に接続のソケット４．は、パイプ内への送風口である。【０００８】  送風パイプは四辺形角形で、下面に丸形開口１７．を点在させ、この下面と対面の上面に、丸形開口１７．と同心で半径短い小形開口１８．を、各点在位置に設ける。【０００９】  角形パイプ１．下面に点在の丸形開口１７．に差し込む突出パイプ７．は、一定深さで差し支える鍔５．を備えている。そして、此の突出パイプ７．は送風口を下側に向け、受風口を角形パイプ１．下面の各開口１７．に差し込んで鍔３．を接着する。【００１０】  そして、角形パイプ１．の上面で、長手方向と直交する前後縁面間と、同じ幅の断面コの字形で、その開放面縁に接合面６．を備えた折れ板２．を上面に設けて接着し、２本目のパイプを形成する。【００１１】  此の角形パイプ１．に差し込んだ突出パイプ７．の鍔５．に、角形パイプ１．空間内まで到る貫通小穴２５．を設け、此処に（特殊）リベット２６．を使用して耐性強化する。
【発明の効果】
【００１２】  ２空間形成の送風パイプの上下流端面双方に接続のソケット４．に於いて、下流側ソケット４．に嵌め込んだ蓋３．による封鎖は、上流端面に接続のソケット４．からの送風により、下流側ソケット内通過流を可能にし、従って、パイプ途中のいずれかの位置に風圧上昇の起点が発生する。又、パイフ内突起物による風圧への影響は、作用に於いての障害は微小である。【００１３】  外部突出パイプ７．からの送風は中空パイプを介して送風式排気器の接続部に送風する事を可能にしている。【００１４】上記、２空間形成パイプに接続の１空間のソケット４．を上下流端面に設けた事は、上流端面に接続のソケット４．内通過風量の増加により推移して、該、ソケット内にも風圧上昇が始まる。此れにより、角形パイプ１．下面に点在の各突出パイプ７．から均一量の送風がなされる。【００１５】  ２空間形成バイプに設けた丸形開口と同心円で半径短い小形開口との内部断面積の違いは、同圧力内で風量と風速の各優先集合の風を、突出パイフ７．の各受風口に向けて送風される。【００１６】  角形パイプ１．下面接着の突出パイプ７．の鍔５．に設けた貫通小穴２５．への（特殊）リベット使用は、振動、重力の耐性を強化している。
【図面の簡単な説明】
【００１７】
【図１】  送風パイプ器の一部破断の斜視図
【図２】  送風パイプ器が２空間形成を示す横断面図
【図３】  ２空間形成パイプに突出バイプを示した断面図
【図４】  ２空間パイプの同心開口と突出パイプを示した横断面図
【図５】  送風パイプ器に突出パイプの低部から見た外観図
【図６】  貫通小穴に（特殊）リベットの２空間抜形成パイプの横断面図
【図７】  下流端面に蓋と上流端面にソケットの横断面図
【発明を実施するための形態】
【００１８】  本発明の実施の形態を図１−７図に基づいて説明する。
【００１９】  図においては、角形パイプ１．折れ板２．蓋３．ソケット４．鍔５．接合面６．突出パイプ７．小形開口１８．
【００２０】  図１−２図について説明する。図１は送風パイプ器の一部破断の斜視図。図２は図１の横断面図である。角形パイブ１．の下面に点在させて丸形開口１７．を設け、該開口と同心位置で半径短い小形開口１８．を上面に設ける。下面の各丸形開口１７．に、差し支えの鍔を備えた突出バイプ７．の受風口を下から差し込んで鍔を接着する。
【００２１】  そして、角形パイプ１．上面に沿った縁面に、折れ板２．の接合面６．を重ねて接着し、角形パイプと折れ板とで２空間の送風パイプが形成される。下流端面にはソケット４を．接読し、該ソケットに蓋３．を嵌め込んで下流側を封鎖し、上流端面は１空間形成のソケット４．を接続している。
【００２２】  図３について説明する。図３は下側の角形パイプ１．と折れ板２．とによる２空間形成パイプの断面図。
【００２３】  図４は、図３の横断面図で、角形パイプ１．下面に、突出パイプ７．を差し支える鍔５．を接着して、該、鍔の左右に貫通小穴２６．を設けている。角形パイプ１．の上面に小形開口１８．と、上側に接着の折れ板２．の接合面６．が左右間にわたり示されている。
【００２４】  図５は、角形パイプ１．を低部から見た外観図で、角形パイプ下面に突出パイプ７．を差し込んで接着した鍔５．に貫通小穴２５．を設けている。
【００２５】  図６は、図４の貫通小穴に（特殊）リベット使用を示している。
【００２６】  図７は２空間形成パイプの下流端面に蓋３．の嵌め込みと、上流端面に１空間のソケット４．を接続の送風パイプ器の横断面図。
【産業上の利用可能性】
【００２７】  送風式排気器内風路に対して排気対象空間外からの機器送風、又は親パイフからの送風により排気を行う事と、此の機器送風の一部量を排気による減圧の緩和。並びに換気に利用する事。
【符号の説明】
【００２８】  １    角形パイプ
２    折れ板
３    蓋  
４    ソケット
５    鍔  
６    接合面  
７    突出パイプ  
１８  小形開口
【手続補正書】
【提出日】平成28年10月3日(2016.10.3)
【手続補正１】
【補正対象書類名】図面
【補正対象項目名】全図
【補正方法】変更
【補正の内容】
【図１】
2017075768.tif 000010
【図２】
2017075768.tif 000011
【図３】
2017075768.tif 000012
【図４】
2017075768.tif 000013
【図５】
2017075768.tif 000014
【図６】
2017075768.tif 000015
【図７】
2017075768.tif 000016